(57)【要約】【課題】  穂先竿での損傷を抑制することのできるものを提供する点にある。【解決手段】  トップガイド１を、筒状の基端本体部１Ａと、基端本体部１Ａから立設される支持フレーム１Ｂと、支持フレーム１Ｂに設けられている釣糸ガイド孔１Ｃとで構成してある。基端本体部１Ａを装着用芯材２を介して中空状の穂先竿Ａの竿先端に取り付けて、トップガイド１を穂先竿Ａに取り付ける。トップガイド１における基端本体部１Ａと支持フレーム１Ｂとを変形性が高くかつ復帰力の高い形状記憶合金で構成してある。【選択図】        図１
2007289103.tif 000002
【特許請求の範囲】
【請求項１】
穂先竿に装着される基端本体部と、前記基端本体部から立設され釣糸ガイド孔を備えた支持フレームとで構成し、前記基端本体部と前記支持フレームとを、形状記憶合金、又は、超合金で構成してあるトップガイド。
【請求項２】
請求項1記載のトップガイドを備えた穂先竿。
【請求項３】
穂先竿を、竿先端側の中実棒状竿体と竿元側の竿体とで構成し、トップガイドを、前記中実棒状竿体の竿先端に取り付けられる基端本体部と、前記基端本体部から立設され釣糸ガイド孔を備えた支持フレームとで構成し、前記トップガイドにおける前記基端本体部と前記支持フレームとを、形状記憶合金又は超合金で構成し、前記中実棒状竿体を、形状記憶合金又は超合金で構成してある釣り竿。
【発明の詳細な説明】
【技術分野】
【０００１】
本発明は、穂先竿の先端に装着されるトップガイド、そのトップガイドを備えた穂先竿、及び、穂先竿を備えた釣り竿に関する。
【背景技術】
【０００２】
トップガイドはステンレスやチタン等の金属材料で形成されている。また、そのトップガイドを取り付ける穂先竿は、炭素繊維等の強化繊維群にエポキシ等の熱硬化性樹脂を含浸して形成したプリプレグシートを芯金に巻回した状態で焼成して形成される（特許文献１参照）。
【０００３】
【特許文献１】特開２００４−７３０４７号公報（公報段落番号〔００１３〕、〔００１５〕図２〜図５）
【発明の開示】
【発明が解決しようとする課題】
【０００４】
上記した構成においては、トップガイドはステンレスやチタン等の金属材料で構成されているのに対して、トップガイドを装着する穂先竿は、強化繊維に熱硬化性樹脂を含浸させて構成したプリプレグでできている。
したがって、仕掛けを巻上げ過ぎて、錘や浮き等をトップガイドに衝突させたような場合には、穂先竿が損傷する虞があった。
このような状況は、仕掛けが根がかりし、それを解消しようとして釣り竿を引張った場合に、釣り糸が切断されて、浮き等が激しくトップガイドに衝突することによっても、起こり得る。
【０００５】
本発明の目的は、穂先竿での損傷を抑制することのできる釣り竿を提供する点にある。
【課題を解決するための手段】
【０００６】
〔構成〕
請求項１に係る発明の特徴構成は、穂先竿に装着される基端本体部と、前記基端本体部から立設され釣糸ガイド孔を備えた支持フレームとで構成し、前記基端本体部と前記支持フレームとを、形状記憶合金、又は、超合金で構成してある点にあり、その作用効果は次の通りである。
【０００７】
〔作用〕
仕掛け等がトップガイドに衝突したとしても、トップガイドが、変形性が高い形状記憶合金又は超合金で構成してあるので、トップガイドが変形することによって衝撃を緩和し、穂先竿に衝撃の影響が及ぶのを抑制する。
しかも、トップガイド自体は支持フレームだけでなく、基端本体部から変形することができるので、変形が大きく衝撃力を吸収する機能が高い。さらに、変形後も穂先竿より外れることはなく、かつ、変形に係る荷重が除去されると元の姿勢に復帰することもできる。
これに加えて、トップガイドに釣り糸が巻き付いた場合にも、釣り糸を引き操作すると、トップガイド自体が変形し、釣り糸のすり抜けを許容することになり、釣り糸の巻付きを迅速に解消できる。
【０００８】
〔効果〕
このように、トップガイドの材質として弾性変形可能でかつ復帰が容易な形状記憶合金又は超合金を使用することによって、トップガイド及び穂先竿が損傷することを抑制できるとともに釣り糸の巻き付き解消にも有効であり、かつ、トップガイドは衝撃力が除去されれば元の姿勢に復帰するので、現状復帰させる手間も余りかからないトップガイドを提供できるに至った。
【０００９】
〔構成〕
請求項２に係る発明の特徴構成は、請求項１記載のトップガイドを備えた穂先竿である点にあり、その作用効果は次の通りである。
【００１０】
〔作用効果〕
請求項１に記載したトップガイドを装着しているので、穂先竿にはトップガイドに作用する衝撃力が及ばず、仕掛けの巻上げ過ぎ等があっても、損傷しにくい穂先竿を提供できるに至った。
【００１１】
〔構成〕
請求項３に係る発明の特徴構成は、穂先竿を、竿先端側の中実棒状竿体と竿元側の竿体とで構成し、トップガイドを、前記中実棒状竿体の竿先端に取り付けられる基端本体部と、前記基端本体部から立設され釣糸ガイド孔を備えた支持フレームとで構成し、前記トップガイドにおける前記基端本体部と前記支持フレームとを、形状記憶合金又は超合金で構成し、前記中実棒状竿体を、形状記憶合金又は超合金で構成してある点にあり、その作用効果は次の通りである。
【００１２】
〔作用効果〕
ここでは、穂先竿においてトップガイドを装着する中実棒状竿体を、形状記憶合金又は超合金で構成してあるので、トップガイドに仕掛けの巻上げ過ぎ等で仕掛けが衝突する場合にも、トップガイドが変形して衝撃を吸収するとともに、衝撃力が大きくトップガイドで吸収できない分については、形状記憶合金等からなる中実棒状竿体が変形することによって吸収することになる。これによって、トップガイドと中実棒状部材とで衝撃力を吸収し、トップガイドと中実棒状部材とが共に損傷することを回避できる。
【発明を実施するための最良の形態】
【００１３】
〔第１実施形態〕
中空状の穂先竿Ａの先端にトップガイド１を取り付ける構成について説明する。図１に示すように、中空状の穂先竿Ａの竿先端に芯材２を取り付け固定するとともに、芯材２における穂先竿Ａの竿先端から突出した部分にトップガイド１を装着してある。
【００１４】
穂先竿Ａは、図示しないが、つぎのような製造工程を経て製作される。竿の軸線方向または円周方向に引き揃えた炭素繊維等の強化繊維群に、エポキシ等の熱硬化性樹脂を含浸させて、プリプレグシートを製作する。このプリプレグシートを複数枚重ね合わせて、マンドレルに巻付け、マンドレルとともに焼成して、外径が竿尻端に向けて徐々に拡大する、中空状の穂先竿Ａを構成する。
【００１５】
芯材２としては、アルミニュームやチタン等の軽量金属で構成するが、一方向に束ねた強化繊維群に樹脂を含浸させて構成した棒材を加工して使用してもよい。
【００１６】
トップガイド１について説明する。図１に示すように、トップガイド１は、筒状の基端本体部１Ａと、基端本体部１Ａから立設される支持フレーム１Ｂと、支持フレーム1Ｂに設けられている釣糸ガイド孔１Ｃと、基端本体部１Ａと支持フレーム１Ｂとの横側面に亘って架け渡されている補強部材１Ｄとで構成してある。
【００１７】
上記したトップガイド１は、基端本体部１Ａ、支持フレーム１Ｂ、補強部材１Ｄを同一材料で形成されるもので、材料としては、形状記憶合金、又は、超合金が使用される。
形状記憶合金としては、所定の加温処理により弾性変形後の復帰力が大きい、Ａｕ―Ｃｄ、Ｃｕ―ＡＬ−Ｎｉ、Ａｕ―Ｃｄ合金等が使用される。また、超合金を使用してもよく、超合金材としては、ＩＮＣＯＮＥＬ６２５等のＮｉ―Ｃｒ合金を使用する。その他、使用可能であれば、チタニュウム、Ｎｉ基合金、Ｃｒ基合金等を使用できる。
【００１８】
上記したような形状記憶合金によって形成したトップガイド１における筒状の基端本体部１Ａを芯材２の突出部分に嵌合装着し、接着剤で固定する。この状態で釣りを行う際に、仕掛け３を巻き込み過ぎて、錘３Ａ等をトップガイド１に衝突させた場合には、衝撃力が比較的小さい場合には、図１（ロ）に示すように、支持フレーム１Ｂのみが変形して衝撃力を吸収する。衝撃力が除去されれば、支持フレーム１Ｂは元の姿勢に復帰する。
【００１９】
トップガイド１は、衝撃力が大きくなると、図１（ハ）に示すように、基端本体部１Ａが支持フレーム１Ｂと一体で揺動変位する状態とに切り換わる。
このように、トップガイド１を形状記憶合金等で構成することによって、穂先竿Ａの損傷を回避できる。
【００２０】
〔第２実施形態〕
ここでは、穂先竿Ａを竿先側の中実棒状竿体４Ａと竿元側の中空状竿体４Ｂとで構成するものに適用する構成について説明する。図３に示すように、トップガイド１を中実棒状竿体４Ａの竿先端に装着固定するとともに、中実棒状竿体４Ａの竿尻端に中空状竿体４Ｂを連結して穂先竿Ａを構成する。
【００２１】
トップガイド１と中実棒状竿体４Ａとの連結構造について説明する。図２に示すように、中実棒状竿体４Ａの竿先端に細径部４ａを形成し、この細径部４ａにトップガイド１の基端本体部１Ａを外嵌して接着固定する。トップガイド１を中実棒状竿体４Ａの竿先端に取り付けた状態で、基端本体部１Ａの外周面と中実棒状竿体４Ａの大径部４ｂの外周面とが段差無く繋がる状態に形成してある。
【００２２】
トップガイド１としては、第１実施形態で示したように、形状記憶合金か超合金を使用して構成する。一方、中実棒状竿体４Ａについても、形状記憶合金か超合金製の棒材を使用する。棒材径としては、０．３ｍｍ〜０．５ｍｍ位の径のものを採用する。
このような構成によって、トップガイド１に衝突する仕掛け３の衝突度合いに応じて、トップガイド１が変形するだけでなく、中実棒状竿体４Ａ自体が変形するので、大きな衝撃力を受けた場合にも、大きな損傷を招くことなく回避することができる。
【００２３】
〔別の実施形態〕
第１実施形態において、トップガイド１と穂先竿Ａを連結するのに、金属製等の芯材２を利用する形態を示したが、芯材２を利用せずに、直接トップガイド１を穂先竿Ａの竿先端に取り付ける方法を採ってもよい。
【図面の簡単な説明】
【００２４】
【図１】（イ）穂先竿の先端にトップガイドを取り付けた状態を示す縦断側面図、（ロ）トップガイドの支持フレームが仕掛けの衝突を受けて変形した状態を示す縦断側面図、（ハ）トップガイド全体が仕掛けの衝突を受けて変形した状態を示す縦断側面図、
【図２】穂先竿として中実棒状竿体で構成したものを示す縦断側面図
【図３】穂先竿として中実棒状竿体と中空状竿体とで構成するものを示す側面図
【符号の説明】
【００２５】
１            トップガイド
１Ａ          基端本体部
１Ｂ          支持フレーム
１Ｃ          釣糸ガイド孔
４Ａ          中実棒状竿体
４Ｂ          中空状竿体
【図１】
2007289103.tif 000003
【図２】
2007289103.tif 000004
【図３】
2007289103.tif 000005